(57)【要約】【課題】印字幅の異なる記録ヘッドを備える場合に適切な吸引力を与えて用紙の浮きを防止できるようにする。【解決手段】記録ヘッド１１に対向してロール紙１２０を案内する搬送ガイド部材２５を有し、搬送ガイド部材２５には、記録ヘッド１１側に対向する面側に、媒体搬送方向に並ぶ複数の凹形状部２０１、２０２が形成され、凹形状部２０１と凹形状部２０２とは、第１記録ヘッド１１Ａの用紙搬送方向下流端に対応する位置ａに形成された隔壁部２０３で分けられている。【選択図】図６
2014104629.tif 000002
【特許請求の範囲】
【請求項１】
液滴を吐出するノズルを有する複数の記録ヘッドが搭載されたキャリッジと、
被記録媒体を前記記録ヘッドに対向して搬送する搬送手段と、を備え、
前記複数の記録ヘッドは、第１記録ヘッドと、前記第１記録ヘッドよりも印字幅が広い第２記録ヘッドと、を含み、
前記搬送手段は、前記記録ヘッドに対向して前記被記録媒体を案内するガイド部材を有し、
前記ガイド部材には、少なくとも媒体搬送方向に並ぶ複数の凹形状部が形成され、
前記凹形状部に負圧を生じさせて前記被記録媒体を吸着可能であり、
前記第１記録ヘッドの媒体搬送方向下流側端に対応する位置に設けられた、前記凹形状部間の隔壁部を有する
ことを特徴とする画像形成装置。
【請求項２】
前記ガイド部材には、マルチパス印字を行うときの印字開始位置に対応する位置に設けられた、前記凹形状部間の隔壁部を有することを特徴とする請求項１に記載の画像形成装置。
【請求項３】
前記ガイド部材の複数の凹形状部に接続された吸引手段と、
前記吸引手段を駆動制御する制御手段と、を有し、
前記制御手段は、前記被記録媒体の先端部が、前記隔壁部に位置したときに、前記吸引手段の吸引力を低下させる制御をする
ことを特徴とする請求項１又は２に記載の画像形成装置。
【発明の詳細な説明】
【技術分野】
【０００１】
本発明は画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）を記録ヘッドとして用いた液体吐出記録方式の画像形成装置としてインクジェット記録装置などが知られている。
【０００３】
このような画像形成装置において、被記録媒体である用紙を、エアー吸引によって、用紙を案内するガイド部材（プラテン部材ともいう。）に吸着させて搬送するものが知られている。
【０００４】
従来、用紙搬送方向或いは用紙の幅方向で、複数の分割された吸引領域を形成して、用紙のサイズ、位置に応じた領域を吸引することが知られている（特許文献１）。
【先行技術文献】
【特許文献】
【０００５】
【特許文献１】特開２０１１−０５６６９４号公報
【発明の概要】
【発明が解決しようとする課題】
【０００６】
ところで、記録ヘッドとして、例えばモノクロ印字用の黒ヘッドと、カラー印字用のカラーヘッドを備え、黒ヘッドをカラーヘッドよりも印字幅を広くした画像形成装置が知られている。
【０００７】
このようなヘッド構成の画像形成装置においては、モノクロ印字を行う場合とカラー印字を行う場合のいずれでも適切な吸引力で吸引して用紙を搬送できるようにすることが求められる。
【０００８】
本発明は上記の課題に鑑みてなされたものであり、異なる印字幅の記録ヘッドを備える場合でも適切な吸引力を与えて用紙の浮きを防止できるようにすることを目的とする。
【課題を解決するための手段】
【０００９】
上記の課題を解決するため、本発明に係る画像形成装置は、
液滴を吐出するノズルを有する複数の記録ヘッドが搭載されたキャリッジと、
被記録媒体を前記記録ヘッドに対向して搬送する搬送手段と、を備え、
前記複数の記録ヘッドは、第１記録ヘッドと、前記第１記録ヘッドよりも印字幅が広い第２記録ヘッドと、を含み、
前記搬送手段は、前記記録ヘッドに対向して前記被記録媒体を案内するガイド部材を有し、
前記ガイド部材には、少なくとも媒体搬送方向に並ぶ複数の凹形状部が形成され、
前記凹形状部に負圧を生じさせて前記被記録媒体を吸着可能であり、
前記第１記録ヘッドの媒体搬送方向下流側端に対応する位置に設けられた、前記凹形状部間の隔壁部を有する
構成とした。
【発明の効果】
【００１０】
本発明によれば、異なる印字幅の記録ヘッドを備える場合でも適切な吸引力を与えて用紙の浮きを防止できる。
【図面の簡単な説明】
【００１１】
【図１】本発明に係る画像形成装置の一例の外観斜視説明図である。
【図２】同装置の模式的側面説明図である。
【図３】同装置の印字機構部の要部平面説明図である。
【図４】本発明の第１実施形態の説明に供する側面説明図である。
【図５】同じく搬送ガイド部材を断面状態にした側面説明図である。
【図６】同じく平面説明図である。
【図７】同実施形態の作用説明に供する側面説明図である。
【図８】本発明の第２実施形態の説明に供する搬送ガイド部材を断面状態にした側面説明図である。
【図９】同じく平面説明図である。
【図１０】同実施形態の作用説明に供する側面説明図である。
【図１１】同じく同実施形態の作用説明に供する側面説明図である。
【図１２】本発明の第３実施形態の説明に供する平面説明図である。
【図１３】同画像形成装置の制御部の概要の説明に供するブロック説明図である。
【図１４】同制御部による吸引ファンの駆動制御の説明に供するフロー図である。
【図１５】同じく側面説明図である。
【発明を実施するための形態】
【００１２】
以下、本発明の実施の形態について添付図面を参照して説明する。本発明に係る画像形成装置の一例について図１ないし図３を参照して説明する。図１は同画像形成装置の外観斜視説明図、図２は同装置の模式的側面説明図、図３は同装置の印字機構部の要部平面説明図である。 
【００１３】
この画像形成装置は、シリアル型画像形成装置であり、装置本体１０１と、装置本体１０１の下側に配置した給紙装置１０２とを備えている。なお、給紙装置１０２は装置本体１０１と別体で装置本体１０１の下側に配置されるものであるが、図２のように装置本体１０１と一体で設けてもよい。
【００１４】
装置本体１０１の内部には、給紙装置１０２から給紙されるロール状媒体であるロール紙１２０に画像を形成する印字機構部１０３が配置されている。
【００１５】
また、装置本体１０１の前面側（印刷され切断されたロール紙１２０が排出される側を前面とする）には、内部の印字機構部１０３を開放する開閉可能な開閉カバー１０４が設けられている。また、装置本体１０１の前面側には、排出されるロール紙１２０をガイドする排紙ガイド部材１０５が設けられている。
【００１６】
印字機構部１０３は、図３にも示すように、図示しない両側板にガイド部材であるガイドロッド１及びガイドステー２が掛け渡されている。そして、これらのガイドロッド１及びガイドステー２にキャリッジ５が図３の主走査方向（キャリッジ移動方向）に移動可能に保持されている。
【００１７】
キャリッジ５は、主走査方向の一方側に配置される駆動源である主走査モータ６によって、駆動プーリ７、従動プーリ８及びタイミングベルト９を介して移動される。
【００１８】
キャリッジ５には、図３にも示すように、複数（ここでは５個）の記録ヘッド１１ａ〜１１ｅ（区別しないときは「記録ヘッド１１」という。他の用語についても同様とする。）を搭載している。記録ヘッド１１は、液体吐出ヘッド及びこの液体吐出ヘッドに液体を供給するヘッドタンクを一体にしたものである。
【００１９】
複数の記録ヘッド１１は、例えば、ブラック（Ｋ）、イエロー（Ｙ）、マゼンタ（Ｍ）、シアン（Ｃ）の各色のインク液滴を吐出する。また、記録ヘッド１１は、複数のノズルからなるノズル列を主走査方向と直交する副走査方向に配列し、滴吐出方向を下方に向けて装着している。
【００２０】
ここで、記録ヘッド１１ａと記録ヘッド１１ｂ〜１１ｅは主走査方向と直交する方向である副走査方向に１ヘッド分（１ノズル列分）位置をずらして配置されている。また、記録ヘッド１１ａ〜１１ｅはいずれも２列のノズル列を有している。そして、記録ヘッド１１ａと１１ｂはいずれも同色である黒色の液滴を吐出し、記録ヘッド１１ｃ〜１１ｅはそれぞれマゼンタ（Ｍ），シアン（Ｃ），イエロー（Ｙ）の液滴を吐出する。
【００２１】
これにより、モノクロ画像については記録ヘッド１１ａ、１１ｂを使用して１スキャン（主走査）で２ヘッド分の幅（印字幅）で画像を形成でき、カラー画像については例えば記録ヘッド１１ｂ〜１１ｅを使用して形成することができる。
【００２２】
つまり、本実施形態では、記録ヘッド１１ｃ〜１１ｅが第１記録ヘッドに、記録ヘッド１１ａ、１１ｂの２つで第１記録ヘッドよりも印字幅が広い第２記録ヘッドを構成する。
【００２３】
なお、モノクロ画像を形成する印字幅の広い第２記録ヘッドを、上記のような記録ヘッド１１ａ、１１ｂの２つのヘッドで構成するのではなく、１つのヘッドで構成してもよい。
【００２４】
記録ヘッド１１のヘッドタンクには、メインタンクであるインクカートリッジ１０ｋ、１０ｃ、１０ｍ、１０ｙから供給チューブ１６を介して各色のインクが供給される。インクカートリッジ１０は、図１に示す装置本体１０１の前方側に設けられたカートリッジ装着部１０７に交換可能に装着される。このとき、同じ色の液滴を吐出する２つの記録ヘッド１１ａ、１１ｂには１つのインクカートリッジ１０ｋからインクが供給される。
【００２５】
一方、キャリッジ５の主走査領域のうち、記録領域では、後述する給紙装置１０２からロール紙１２０が給送され、搬送手段２１によってキャリッジ５の主走査方向と直交する方向（副走査方向、用紙搬送方向）に間欠的に搬送される。
【００２６】
搬送手段２１は、給紙装置１０２から給紙されるロール状媒体であるロール紙１２０を搬送する搬送ローラ２３及び搬送ローラ２３に対向配置した加圧ローラ２４を有する。そして、後述するように、複数の凹形状部及び吸引穴が形成されたガイド部材である搬送ガイド部材２５と、搬送ガイド部材２５の吸引穴から吸引を行う吸引機構部２６とを有している。
【００２７】
この搬送手段２１の下流側には、図２に示すように、記録ヘッド１１で画像が形成されたロール紙１２０を所定の長さで切断する切断手段としてのカッタ２７が配置されている。
【００２８】
このカッタ２７は、例えばワイヤ或いはタイミングベルト２８に取り付けられている。このタイミングベルト２８は、図示しない駆動モータで駆動される駆動プーリと従動プーリとの間に掛け回され、駆動モータにより駆動プーリを介してタイミングベルト２８を主走査方向に移動することで、カッタ２７でロール紙１２０を所定の長さに切断する。
【００２９】
さらに、キャリッジ５の主走査方向の一方側には搬送ガイド部材２５の側方に記録ヘッド１１の維持回復を行う維持回復機構３０が配置されている。また、キャリッジ５の主走査方向の他方側には、搬送ガイド部材２５の側方に記録ヘッド１１から画像形成に寄与しない液滴を吐出する空吐出を行う空吐出受け３４がそれぞれ配置されている。
【００３０】
維持回復機構３０は、装置本体１０１のフレーム部材に保持された第１維持回復部３１と、維持回復機構３０のフレーム部材に副走査方向に往復移動可能に保持された第２維持回復部３２とを有している。第２維持回復部３２は記録ヘッド１１ａの維持回復を行うときには図３の位置にあり、記録ヘッド１１ｂ〜１１ｅの維持回復を行うときには第１維持回復部３１と同じ副走査方向位置まで移動する。
【００３１】
この維持回復機構３０は、例えば記録ヘッド１１のノズル面（ノズルが形成された面）をキャッピングする吸引キャップ４１及び保湿キャップ４２を備えている。また、ノズル面を払拭するワイパ部材４３、画像形成に寄与しない液滴（空吐出滴）を受ける空吐出受け４４などを備えている。
【００３２】
給紙装置１０２は、上下段にロール体１１２Ａ、１１２Ｂ（以下、上段の部材には符号に「Ａ」を付して、下段の部材には符号に「Ｂ」を付して区別する。他の部材も同様とする。）を有している。
【００３３】
ロール体１１２は、芯部材である管１１４に長尺のロール状媒体であるシート（これを上述したように「ロール紙」という。）１２０をロール状に巻き付けたものである。なお、ロール体は管１１４及びロール紙１２０を合わせた部材の総称とする。
【００３４】
そして、装置本体１０１側には、給紙装置１０２のロール体１１２から引き出されるロール紙の下面をガイドするガイド部材１３０と、ロール紙１２０を湾曲させて上方に給送する搬送ローラ対１３１とが配置されている。
【００３５】
搬送ローラ対１３１を回転駆動することで、ロール体１１２から繰り出されるロール紙１２０は、搬送ローラ対１３１とロール体１１２間で張られた状態で搬送される。そして、ロール紙１２０は、搬送ローラ対１３１を経て、搬送手段２１の搬送ローラ２３と加圧ローラ２４との間に送り込まれる。
【００３６】
このように構成したこの画像形成装置においては、キャリッジ５を主走査方向に移動し、給紙装置１０２から給送されるロール紙１２０を、搬送手段２１によって間欠的に送る。そして、記録ヘッド１１を画像情報（印字情報）に応じて駆動して液滴を吐出させることによって、ロール紙１２０上に所要の画像が形成される。画像形成後のロール紙１２０は、カッタ２７で所定の長さにカットされ、装置本体１０１の前面側の排紙ガイド部材１０５に案内されて排出される。
【００３７】
次に、本発明の第１実施形態について図４ないし図６も参照して説明する。図４は同実施形態の説明に供する側面説明図、図５は同じく搬送ガイド部材を断面状態にした側面説明図、図６は同じく平面説明図である。
【００３８】
なお、以下では、上述したモノクロ印字用の記録ヘッド１１ａ、１１ｂを併せて「第２記録ヘッド１１Ｂ」と表記し、カラー印字用の記録ヘッド１１ｃ〜１１ｅを「第１記録ヘッド１１Ａ」と表記する。ただし、上述したように記録ヘッド１１ｂはカラー印字にも使用される。
【００３９】
搬送ガイド部材２５の記録ヘッド１１と反対側（下面）には、前述したように吸引機構部２６が配置されている。吸引機構部２６は、吸引室１２６ａを形成する吸引室形成部材１２６と、吸引室１２６ａに接続路１２８を介して接続された吸引ファン１２７とを有している。
【００４０】
搬送ガイド部材２５には、記録ヘッド１１側に対向する面（用紙案内面）側に、用紙搬送方向（媒体搬送方向）に並ぶ複数の凹形状部２０１、２０２が形成されている。
【００４１】
ここで「用紙搬送方向に並ぶ」とは用紙搬送方向に整列している必要はなく、凹形状部２０１の用紙搬送方向下流側に凹形状部２０２が配置されていればよい。具体的には、凹形状部２０１と凹形状部２０１に隣接する凹形状部２０２が用紙搬送方向と直交するキャリッジ５の移動方向にずれて（例えば凹形状部２０１の配列ピッチの半分）いてもかまわない。
【００４２】
凹形状部２０１及び凹形状部２０２には、吸引室１２６ａに通じる吸引穴２０４が形成されている。
【００４３】
ここで、凹形状部２０１と凹形状部２０２とは、第１記録ヘッド１１Ａの用紙搬送方向下流端に対応する位置ａに形成されたリブ（隔壁部）２０３で分けられている。つまり、搬送ガイド部材２５は、第１記録ヘッド１１Ａの媒体搬送方向下流側端に対応する位置に設けられた、凹形状部２０１、２０２間の隔壁部２０３を有している。
【００４４】
また、凹形状部２０１及び凹形状部２０２は、いずれも、主走査方向において複数個設けられている。なお、主走査方向における凹形状部２０１及び凹形状部２０２の個数は図示の例に限られるものではなく、それぞれ１個以上であればよい。
【００４５】
次に、このように構成した本実施形態の作用について図７も参照して説明する。図７は同説明に供する側面説明図である。
【００４６】
まず、第１記録ヘッド１１Ａを使用して、１パス印字でカラー印字を行うときには、図７（ａ）に示すように、ロール紙１２０の先端を隔壁部２０３の位置まで搬送して印字を開始する。
【００４７】
これにより、カラー印字開始時には、上流側の凹形状部２０１は、いずれも、ロール紙１２０によって塞がれた状態になるので、凹形状部２０１は密閉されて、大きな吸引力がかかるようになる。
【００４８】
この際、凹形状部２０１と凹形状部２０２とにつながる吸引室１２６ａはそれぞれ別々に設けて個別に吸引力を制御することが好ましいが、ひとつの吸引室１２６ａでも構成できる。この場合、凹形状部２０２は開放されるために凹形状部２０２の吸引穴２０２からエアーが流入して相対的に吸引力を落とすが、この流入量は吸引穴２０４の径で制限されるため、凹形状部２０１の吸引力を喪失させるほどとはならない。また、吸引力を調整するために、後述する吸引ファン１２７のデューティ制御を用いることもできる。
【００４９】
したがって、吸引ファン２６の回転数が低くても（吸引力が小さくても）、ロール紙１２０を搬送ガイド部材２５表面に吸着することができ、ロール紙１２０の浮きを防止できる。
【００５０】
また、第２記録ヘッド１１Ｂを使用して、１パス印字でモノクロ印字を行うときには、図７（ｂ）に示すように、ロール紙１２０の先端を下流側の凹形状部２０２を越える位置まで搬送して印字を開始する。
【００５１】
これにより、モノクロ印字開始時には、上流側の凹形状部２０１及び下流側の凹形状部２０２は、いずれも、ロール紙１２０によって塞がれた状態になるので、凹形状部２０１、２０２は密閉されて、大きな吸引力がかかるようになる。
【００５２】
したがって、吸引ファン２６の回転数が低くても（吸引力が小さくても）、ロール紙１２０を搬送ガイド部材２５表面に吸着することができ、ロール紙１２０の浮きを防止できる。
【００５３】
このように、ガイド部材には、少なくとも媒体搬送方向に並ぶ複数の凹形状部が形成され、複数の凹形状部の少なくとも一部は、第１記録ヘッドの媒体搬送方向下流側端に対応する位置で分けられている構成とする。これにより、異なる印字幅の記録ヘッドを備える場合でも印字幅に応じて、印字開始時から適切な吸引力を与えることができて用紙の浮きを防止できる。
【００５４】
次に、本発明の第２実施形態について図８及び図９も参照して説明する。図６は同実施形態の説明に供する搬送ガイド部材を断面状態にした側面説明図、図７は同じく平面説明図である。
【００５５】
本実施形態では、搬送ガイド部材２５には、記録ヘッド１１側に対向する面（用紙案内面）側に、用紙搬送方向（媒体搬送方向）に一列に並ぶ複数の凹形状部２１１〜２１４が形成されている。
【００５６】
ここで、凹形状部２１２と凹形状部２１３との間の隔壁部２１５は、第１記録ヘッド１１Ａの用紙搬送方向下流端に対応する位置ａに形成されている。
【００５７】
また、凹形状部２１１と凹形状部２１２との間の隔壁部２１６は、カラー印字をマルチパス印字で行うときの印字開始位置に対応する位置ｂに形成されている。本実施形態では、凹形状部２１１と凹形状部２１２との間の隔壁部２１６は、最もマルチパス回数の多い１６パス印字のときの印字開始位置に対応する位置としている。
【００５８】
さらに、凹形状部２１３と凹形状部２１４との間の隔壁部２１７は、モノクロ印字をマルチパス印字で行うときの印字開始位置に対応する位置ｃに形成されている。
【００５９】
なお、本実施形態においても、凹形状部２１１〜２１４は、いずれも、主走査方向において複数個設けられている。ただし、主走査方向における凹形状部２１１〜２１４の個数は図示の例に限られるものではなく、それぞれ１個以上であればよい。
【００６０】
次に、このように構成した本実施形態の作用について図１０及び図１１も参照して説明する。図１０及び図１１は同説明に供する側面説明図である。
【００６１】
まず、第１記録ヘッド１１Ａを使用して、マルチパス印字でカラー印字を行うときには、図１０（ａ）に示すように、ロール紙１２０の先端を隔壁部２１６の位置まで搬送して印字を開始する。
【００６２】
また、第１記録ヘッド１１Ａを使用して、１パス印字でカラー印字を行うときには、図１０（ｂ）に示すように、ロール紙１２０の先端を隔壁部２１５の位置まで搬送して印字を開始する。
【００６３】
また、第２記録ヘッド１１Ｂを使用して、マルチパス印字でモノクロ印字を行うときには、図１１（ａ）に示すように、ロール紙１２０の先端を隔壁部２１７の位置まで搬送して印字を開始する。
【００６４】
また、第２記録ヘッド１１Ｂを使用して、１パス印字でモノクロ印字を行うときには、図１１（ｂ）に示すように、ロール紙１２０の先端を凹形状部２１４を超える位置まで搬送して印字を開始する。
【００６５】
いずれの場合にも、凹形状部２１１ないし２１４の内、ロール紙１２０の先端より上流側の凹形状部は、ロール紙１２０によって塞がれた状態になるので、大きな吸引力がかかるようになる。したがって、吸引ファン２６の回転数が低くても（吸引力が小さくても）、ロール紙１２０を搬送ガイド部材２５表面に吸着することができ、ロール紙１２０の浮きを防止できる。
【００６６】
このように、隔壁部２１５〜２１７の位置を、第１記録ヘッド１１Ｂの用紙搬送方向下流端に対応する位置、及び、マルチパス印字を行うときの印字開始位置に対応する位置としている。これにより、いずれの場合も、吸引ファン２６の回転数が低くても、印字開始時からロール紙１２０を搬送ガイド部材２５表面に吸着することができ、ロール紙１２０の浮きを防止できる。
【００６７】
次に、本発明の第３実施形態について図１２を参照して説明する。図１２は同実施形態の説明に供する平面説明図である。
【００６８】
本実施形態では、搬送ガイド部材２５には、記録ヘッド１１側に対向する面（用紙案内面）側に、用紙搬送方向（媒体搬送方向）に一列に並ぶ複数の凹形状部２２１、２２２の列と、一列に並ぶ複数の凹形状部２２３〜２２５が形成されている。
【００６９】
そして、主走査方向では、凹形状部２２１、２２２の列と、凹形状部２２３〜２２５の列とが、交互に形成されている。
【００７０】
ここで、凹形状部２２１と凹形状部２２２との間の隔壁部２２６は、第１記録ヘッド１１Ａの用紙搬送方向下流端に対応する位置ａに形成されている。
【００７１】
また、凹形状部２２３と凹形状部２３４との間の隔壁部２２７は、カラー印字をマルチパス印字で行うときの印字開始位置に対応する位置ｂに形成されている。
【００７２】
さらに、凹形状部２２４と凹形状部２２５との間の隔壁部２２８は、モノクロ印字をマルチパス印字で行うときの印字開始位置に対応する位置ｃに形成されている。
【００７３】
このように構成しても、第１記録ヘッド１１Ａによって、マルチパス印字でカラー印字を行うときには、印字開始時に凹形状部２２３はロール紙１２０によって塞がれた状態になる。これにより、凹形状部２２３は密閉されて、大きな吸引力がかかるようになる。
【００７４】
また、第１記録ヘッド１１Ａによって、１パス印字でカラー印字を行うときには、印字開始時に凹形状部２２１及び２２３はロール紙１２０によって塞がれた状態になる。これにより、凹形状部２２１、２２３は密閉されて、大きな吸引力がかかるようになる。
【００７５】
さらに、第２記録ヘッド１１Ｂによって、マルチパス印字でモノクロ印字を行うときには、印字開始時に凹形状部２２１、２２３、２２４はロール紙１２０によって塞がれた状態になる。これにより、凹形状部２２１、２２３、２２４は密閉されて、大きな吸引力がかかるようになる。
【００７６】
また、第２記録ヘッド１１Ｂによって、１パス印字でモノクロ印字を行うときには、印字開始時に凹形状部２２１〜２２５はロール紙１２０によって塞がれた状態になる。これにより、凹形状部２２１〜２２５は密閉されて、大きな吸引力がかかるようになる。
【００７７】
これにより、いずれの場合も、吸引ファン２６の回転数が低くても、印字開始時からロール紙１２０を搬送ガイド部材２５表面に吸着することができ、ロール紙１２０の浮きを防止できる。
【００７８】
次に、この画像形成装置の制御部の概要について図１３のブロック説明図を参照して説明する。
【００７９】
主制御部５０１は、ＣＰＵ，ＲＯＭ及びＲＡＭ、Ｉ／Ｏなどのマイクロコンピュータで構成され、ＣＰＵからなる演算部５０１ＡやＲＯＭ及びＲＡＭなどからなるメモリ部５０１Ｂを含み、吸引手段である吸引ファン１２７の駆動制御を行う手段を兼ねている。
【００８０】
この主制御部５０１は、ホスト側から与えられる印字情報５００を入力する。そして、印字情報５００に応じた画像を形成するため、給紙駆動部５０６を介して搬送ローラ対１３１を駆動することで、給紙装置１０２の上段又は下段のロール体１１２からロール紙１２０を給送（給紙して搬送）させる。
【００８１】
また、主制御部５０１は、主走査駆動部５０３を介して主走査モータ６を駆動制御することでキャリッジ５を主走査方向に移動走査させる。また、搬送ローラ駆動部５０４を介して搬送ローラ２３を回転駆動し、吸引ファン駆動部５０５を介して吸引ファン２６を駆動して、ロール紙１２０を副走査方向に移動させる。そして、ヘッド駆動部５０２を介して記録ヘッド１１を印字情報５００に応じて駆動制御して、記録ヘッド１１から所要の液滴を吐出させ、ロール紙１２０上に所要の画像を形成する。
【００８２】
また、主制御部５０１は、カッタ駆動部５０８を介してカッタ２７を駆動して、画像形成が終了したロール紙１２０を所要の長さに切断させる。
【００８３】
また、主制御部５０１には、操作部５１０が接続されている。この操作部５１０からはロール紙１２０の種別などを入力することができるが、この画像形成装置に接続されるホスト側から使用するロール紙１２０の種別を入力することもできる。
【００８４】
次に、制御部による吸引ファンの駆動制御について図１４のフロー図を参照して説明する。
【００８５】
ここでは、吸引ファン１２７はＰＷＭ制御で駆動するものとする。
【００８６】
制御部は、印字情報５００を受けると、吸引ファン１２７を第１デューティ（Ｄｕｔｙ）、例えば５０％Ｄｕｔｙで回転させる。その後、搬送ローラ２３を駆動して、ロール紙１２０を搬送し、先端を検知する。その後、ロール紙１２０を搬送ガイド部材２５上の印刷開始位置まで搬送する。
【００８７】
そして、印字のために搬送とキャリッジ走査を繰り返して印字を行い、ロール紙１２０の先端が搬送ガイド部材２５を越えたときに、吸引ファン１２７を第２デューティ（Ｄｕｔｙ）、例えば３０％Ｄｕｔｙで回転させる。
【００８８】
その後、印字を継続する。
【００８９】
すなわち、図１５（ａ）に示すように、ロール紙１２０によって塞がれていない吸引穴が存在することで吸引力が低下する領域では、吸引ファン１２７の吸引力を高くして、凹形状部２０１等に生じる吸引力を維持することでロール紙１２０の先端の浮きを防止する。これにより、ジャムや画像擦れを回避する。
【００９０】
そして、図１５（ｂ）に示すように、搬送ガイド部材２５のすべての吸引穴が塞がれたときには、吸引力が上昇するため、吸引ファン１２７の吸引力を低くして、凹形状部２０１、２０２等の吸引力が大きくなりすぎることによるロール紙１２０の変形を防止することで、高画質な画像を得ることができる。
【００９１】
上述した制御を前記各実施形態に適用した場合、ロール紙１２０の先端が所定の隔壁部に達するまでは吸引ファン１２７の吸引力を相対的に高くし、印字開始位置に対応する隔壁部に達したときには吸引ファン１２７の吸引力を相対的に低くするように制御する。
【００９２】
なお、本願において、「用紙」とは材質を紙に限定するものではなく、ＯＨＰ、布、ガラス、基板などを含み、インク滴、その他の液体などが付着可能なものの意味である。また、被記録媒体、記録媒体、記録紙、記録用紙などと称されるものを含む。また、画像形成、記録、印字、印写、印刷はいずれも同義語とする。
【００９３】
また、「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００９４】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００９５】
また、「画像」とは平面的なものに限らず、立体的に形成されたものに付与された画像、また立体自体を三次元的に造形して形成された像も含まれる。
【００９６】
また、画像形成装置には、特に限定しない限り、シリアル型画像形成装置及びライン型画像形成装置のいずれも含まれる。
【００９７】
さらに、上記実施形態ではロール紙を使用する画像形成装置で説明しているが、シートを使用する画像形成装置にも同様に適用することができる。
【符号の説明】
【００９８】
５  キャリッジ
１１、１１ａ〜１１ｅ  記録ヘッド
１０、１０ｋ、１０ｃ、１０ｍ、１０ｙ  インクカートリッジ
２５  搬送ガイド部材（ガイド部材）
２６  吸引機構部
５１、５１Ａ、５１Ｂ  ヘッドホルダ
１０１  装置本体
１０２  給紙装置
１０３  画像形成部
１２６  吸引ファン
２０１、２０２、２１１〜２１４、２２１〜２２５  凹形状部
２０３、２１５、２１６、２２６〜２２７  隔壁部
２０４  吸引穴
【図１】
2014104629.tif 000003
【図２】
2014104629.tif 000004
【図３】
2014104629.tif 000005
【図４】
2014104629.tif 000006
【図５】
2014104629.tif 000007
【図６】
2014104629.tif 000008
【図７】
2014104629.tif 000009
【図８】
2014104629.tif 000010
【図９】
2014104629.tif 000011
【図１０】
2014104629.tif 000012
【図１１】
2014104629.tif 000013
【図１２】
2014104629.tif 000014
【図１３】
2014104629.tif 000015
【図１４】
2014104629.tif 000016
【図１５】
2014104629.tif 000017